(57)【要約】      （修正有）【課題】製造も容易であり、見る人に容器の温度に関する情報も発信することができ、さらに保温機能も備えることで、その上から容器を容易に安全に把持することができるようにした、保温用発泡樹脂シートを提供する。【解決手段】保温用発泡樹脂シートを容器の外側に巻き付けたときに容器と接触する側の面に、所定の温度に達したときに変色することで示温材としての機能を果たすことのできる感熱塗料による第１の装飾１ａ〜１ｄと、変色後の色彩による第２の装飾１０ａ〜１０ｄを印刷形成する。また、変色温度Ｋａ〜Ｋｄを表面側に印刷する。【選択図】図３
0003185220.tif 000002
【実用新案登録請求の範囲】
【請求項１】
容器の外側に巻き付けて使用する保温用発泡樹脂シートであって、容器の外側に巻き付けたときに容器と接触する側の面には所定の温度に達したときに変色することで示温材としての機能を果たすことのできる感熱塗料による第１の装飾が印刷により施されていることを特徴とする保温用発泡樹脂シート。
【請求項２】
前記第１の装飾の変色後の色彩を備えた第２の装飾が第１の装飾の近傍に印刷により施されていることを特徴とする請求項１に記載の保温用発泡樹脂シート。
【請求項３】
変色するときの温度および変色後の色彩が異なる２種以上の感熱塗料による２以上の前記第１の装飾と前記２以上の第１の装飾の変色後の色彩を備えた２以上の第２の装飾が各第１の装飾の近傍に施されていることを特徴とする請求項２に記載の保温用発泡樹脂シート。
【請求項４】
前記保温用発泡樹脂シートの表面側における前記第２の装飾の近傍には前記第１の装飾を形成する感熱塗料が変色するときの温度に関する情報が印刷されていることを特徴とする請求項１ないし３のいずれか一項に記載の保温用発泡樹脂シート。
【請求項５】
厚みが１．０ｍｍ以下であり発泡倍率が１０〜５０倍の発泡ポリエチレン樹脂のシートであって顔料や染料を含まない白色シートであることを特徴とする請求項１ないし４のいずれか一項に記載の保温用発泡樹脂シート。
【考案の詳細な説明】
【技術分野】
【０００１】
本考案は、保温用発泡樹脂シートに関する。
【背景技術】
【０００２】
レストランや店頭において、また家庭においても、紙製あるいは樹脂製のカップやボトルのような飲料容器に高温あるいは低温の飲み物等を入れた状態のものが、卓上に置かれるか、飲食しようとする人に直接手渡されることがある。多くの場合、人は、飲み物等が入った容器を外から見ただけでは、その容器の温度を知ることはできない。かなり高温となっている容器、あるいはかなり低温となっている容器に、人が予見なく手で触れると、人は不快感を持ち、極端な場合には手に損傷が生じることもある。
【０００３】
そのような不都合を回避する目的で、人が容器の外観を見るだけで、その容器の温度に関する情報を入手できるようにした手段がいくつか提案されている。例えば、特許文献１では、飲料容器の表面に熱変色像が温度変化により動的視覚を伴って出現または消失するようにした熱変色性飲料容器が記載されている。また、特許文献２には、缶飲料の外周側面をロール巻きにほぼ覆うに足る断熱性シートの少なくとも裏側両端部に圧着性付着材を設けるとともに、所定位置に感温色材付きの窓を形成した缶飲料用保温シートが記載されている。
【先行技術文献】
【特許文献】
【０００４】
【特許文献１】実用新案登録第２５９７８２２号公報
【特許文献２】実開平６−７６１４３号公報
【考案の概要】
【考案が解決しようとする課題】
【０００５】
前記特許文献１に記載されるものは、当該飲料容器を外から見るだけで飲料容器の温度に関する情報を得ることができる。しかし、人が内容物を飲むときに飲料容器を手で持つこととなるが、容器が非常に高温の場合、あるいは非常に低温の場合に、そのままでは手で持つことができず、断熱材を用いて容器を巻き込む等の所作が必要となる。特許文献２に記載されるものは、断熱性シートを用いており、また、感温色材も用いられているので、容器温度を知ることができ、また、そのまま手で持って内容物を飲むこともできる。しかし、覗き窓を形成し、その部分に感温色材を取り付けた構造であることから、その製造は困難であるとともに、感温色材を安定的に保持しておくことは容易でない。
【０００６】
本考案は、上記の事情に鑑みてなされたものであり、製造も容易であり、かつ見る人に容器の温度に関する情報も発信することができ、さらに保温機能も備えることで、その上から容器を容易に安全に把持することができるようにした、より改良された保温用発泡樹脂シートを開示することを課題とする。
【課題を解決するための手段】
【０００７】
本考案による保温用発泡樹脂シートは、容器の外側に巻き付けて使用する保温用発泡樹脂シートであって、容器の外側に巻き付けたときに容器と接触する側の面には所定の温度に達したときに変色することで示温材としての機能を果たすことのできる感熱塗料による第１の装飾が印刷により施されていることを特徴とする。
【０００８】
本考案による保温用発泡樹脂シートでは、前記感熱塗料による第１の装飾は、発泡樹脂シートの一方の面（容器の外側に巻き付けたときに容器と接触する側の面）に印刷により形成されており、その製造、すなわち第１の装飾の形成はきわめて容易である。また、印刷による第１の装飾は、容易に剥がれるようなことはなく、長期間にわたって安定して保持される。人は、第１の装飾の色を見るだけで、保温用発泡樹脂シートが巻きつけられている容器の温度に関する情報を容易に得ることができ、さらに発泡樹脂シートは断熱性に富むことから、保温用発泡樹脂シートを介して、不快感を持つことなく、当該容器を安心して持つことができる。また、発泡樹脂シートは保温性に富むことから、当該容器の内容物の温度維持にも寄与するようになるとともに、結露防止も可能となる。
【０００９】
好ましい態様において、本考案による保温用発泡樹脂シートは、前記第１の装飾の変色後の色彩を備えた第２の装飾が第１の装飾の近傍に印刷により施されていることを特徴とする。この態様の保温用発泡樹脂シートを用いる場合には、第１の装飾の色彩と第２の装飾の色彩とを見比べることで、容器内の飲料物等の温度が所望の温度であるかどうかも知ることができる。
【００１０】
好ましい態様において、本考案による保温用発泡樹脂シートは、変色するときの温度および変色後の色彩が異なる２種以上の感熱塗料による２以上の前記第１の装飾と前記２以上の第１の装飾の変色後の色彩を備えた２以上の第２の装飾が各第１の装飾の近傍に施されていることを特徴とする。さらに好ましくは、上記保温用発泡樹脂シートにおいて、前記保温用発泡樹脂シートの表面側における前記第２の装飾の近傍には前記第１の装飾を形成する感熱塗料が変色するときの温度に関する情報が印刷されていることを特徴とする。
【００１１】
この態様の保温用発泡樹脂シートでは、複数ある第１の装飾の内のいずれが、それに対応する第２の装飾の色彩と同じくなっているかを視認することで、人は、その容器内の飲料物等の温度をより高い精度で知ることができる。また、時間的に温度変化が生じる場合でも、その時点での容器内の飲料物等の温度を知ることができる。それぞれの色彩に対応する温度が数値で印刷されている場合には、人は、その温度をより確実に認識することができる。
【００１２】
本考案による保温用発泡樹脂シートにおいて、基材としてのシートは、裏面、すなわち容器の外側に巻き付けたときに容器と接触する側の面に印刷した第１の装飾が、外から、すなわち表面側から視認できることを条件に、任意の発泡樹脂シートを用いることができる。例として、発泡ポリエチレンシート、発泡ポリプロピレンシート、発泡ポリスチレンシートなどが挙げられる。好ましくは、上記視認性が阻害されないように、シートは、顔料や染料を含まない白色シートであることが好ましい。
【００１３】
また、各発泡樹脂シートの発泡倍率も、上記視認性を有しかつ所要の断熱性を有することを条件に、適宜設定すればよく、限定されないが、通常、発泡倍率が１０〜５０倍の範囲であれば、所期の目的は達成可能である。シートの材料や発泡倍率によって相違するが、上記視認性が確保されることを条件に、発泡樹脂シートの厚みは、０．５〜２ｍｍの範囲であることが好ましい。
【００１４】
本考案による保温用発泡樹脂シートのより好ましい態様において、基材となる樹脂シートは、厚みが１．０ｍｍ以下であり発泡倍率が２０〜４０倍の発泡ポリエチレン樹脂のシートであり、かつ顔料や染料を含まない白色シートである。特に、発泡ポリエチレンシートは、他の発泡樹脂シートと比較して柔軟性がありかつ塗料が乗りやすいことから、印刷後の第１および第２の装飾が容易に剥離しない、すなわち安定性の高い保温用発泡樹脂シートが得られる。
【考案の効果】
【００１５】
本考案によれば、製造も容易であり、かつ見る人に容器の温度に関する情報も確実に発信することができ、さらに保温機能も備えることで、その上から容器を容易に安全に把持することができるようにした、より改良された保温用発泡樹脂シートが得られる。
【図面の簡単な説明】
【００１６】
【図１】本考案による保温用発泡樹脂シートの一例を示す正面図（ａ）と、それを容器の外側に巻き付けた状態を示す図（ｂ）。
【図２】本考案による保温用発泡樹脂シートの他の例を示す正面図。
【図３】本考案による保温用発泡樹脂シートのさらに他の例を示す正面図。
【考案を実施するための形態】
【００１７】
以下、本考案を実施の形態に基づき説明する。
図１（ａ）は、本考案による保温用発泡樹脂シートの一例を表側から見て示す図であり、図１（ｂ）はそれを容器の外側に巻き付けた状態を示す図である。この例において、容器は、下端から上方に向けて次第に直径が大きくなる形状のカップＡとして示しているが、容器は、胴体部の直径がほぼ同じであるビンや缶のようなボトルであってもよい。
【００１８】
前記形状のカップＡと共に使用する保温用発泡樹脂シートＢは、この例では扇形をなしており、前記カップＡに巻き付けることのできる長さと、カップＡの高さの５〜９割程度を覆うことのできる幅を有している。なお、図示しないが、胴体部の直径がほぼ同じであるビンや缶のようなボトルと共に用いる場合には、保温用発泡樹脂シートＢは長方形となる。
【００１９】
この例において、保温用発泡樹脂シートＢは０．５ｍｍ厚の白色系、すなわち、顔料や染料を含まない発泡ポリエチレンシートであり、発泡倍率はほぼ３０倍である。保温用発泡樹脂シートＢの裏面には、所定の温度に達したときに変色することで示温材としての機能を果たすことのできる感熱塗料による第１の装飾１が、印刷により形成されている。第１の装飾１は、図示されるように、表側から視認することができる。
【００２０】
第１の装飾１の近傍におけるその表面側には、第１の装飾１の温度に関する情報２が、一般の塗料による印刷によって設けられている。情報２としては、例えば、「第１の装飾１の色彩は常温では色彩ｘですが、色彩ｙとなっているときは、カップの温度がほぼＫ℃であることを示しています。」のような文章が挙げられる。
【００２１】
この保温用発泡樹脂シートＢは、例えば、レストランやファーストフード店などの店頭に置かれ、店員がカップＡに適宜の飲料を入れて客に提供するときに、図１（ｂ）示すように、カップＡに巻き付けて使用される。例として、飲料が５０℃を超える温度のコーヒーであると仮定し、第１の装飾１を形成する感熱塗料は、５０℃近傍において、色彩ｘから色彩ｙに変化する感熱塗料であるとする。その場合には、前記第１の装飾１の温度に関する情報２は、「第１の装飾１の色彩は常温では色彩ｘですが、色彩ｙとなっているときは、カップＡの温度は５０℃以上の温度であることを示しています。ご注意下さい。」というような表現となる。
【００２２】
それにより、客は、第１の装飾１の色彩とその近くに印刷された情報２により、コーヒーが入ったカップＡの温度が何度以上であるか、またはそれ以下の温度であるかを知ることができる。また、保温用発泡樹脂シートＢは、発泡樹脂製であり断熱性に富んでいるので、高温のカップＡを手で持っても、高温によるあるいは低温による不快を感じることはない。なお、図１（ａ）において、領域３はカップＡに巻き付けるときののり付け等による繋ぎ代である。
【００２３】
図２は、本考案による保温用発泡樹脂シートの他の例を示す。この保温用発泡樹脂シートＢ１は、前記した第１の装飾１の温度に関する情報２の印刷はなく、それに代えて、第１の装飾１を形成する常温では色彩ｘである感熱塗料が所定温度以上になったときに変色する色彩ｙと同じ色彩の模様が第２の装飾１０として、第１の装飾１の近傍に一般塗料によって印刷されている。そして、その印刷模様（第２の装飾１０）も、保温用発泡樹脂シートＢ１の表面側から視認することができる。さらに、この例では、裏面に形成した第２の装飾１０の近傍である表面側には、第１の装飾１を形成する感熱塗料が変色するときの温度Ｋ、この例では「５０℃」の数値が印刷されている。図示しないが、保温用発泡樹脂シートＢ１においても、前記した第１の装飾１の温度に関する情報２が設けられていてもよい。
【００２４】
保温用発泡樹脂シートＢ１も保温用発泡樹脂シートＢと同様にして用いられる。客は、第１の模様１と第２の模様１０とを見比べ、第１の模様１の色彩が第２の模様１０の色彩と同じとなっているかどうか、コーヒーが入ったカップＡの温度が何度以上であるか（この例では５０℃以上であるかどうか）を知ることができる。
【００２５】
図３は、本考案による保温用発泡樹脂シートのさらに他の例を示す。この保温用発泡樹脂シートＢ２は、複数組の前記第１の装飾１および第２の装飾１０が設けられている点で、前記した保温用発泡樹脂シートＢ、Ｂ１と相違する。すなわち、保温用発泡樹脂シートＢ２では、裏面側に、変色するときの温度および変色後の色彩の双方が異なる２種以上（図示のものでは４種）の感熱塗料による２以上（図示のものでは４種）の第１の装飾１ａ〜１ｄ、および、第１の装飾１ａ〜１ｄの変色後の色彩を備えた２以上（図示のものでは４種）の第２の装飾１０ａ〜１０ｄが各第１の装飾１ａ〜１ｄの近傍に、印刷により形成されている。さらに、各感熱塗料が変色するときの温度Ｋａ〜Ｋｄも数値（この例では、４０、５０、６０、７０の数値）として表面側に印刷されている。
【００２６】
具体的には、第１の装飾１ａの変色前の色彩はｘ１であり、変色温度はＫａ（４０℃）であり、変色後の色彩はｙ１である。第１の装飾１ｂの変色前の色彩はｘ２であり、変色温度はＫｂ（５０℃）であり、変色後の色彩はｙ２である。第１の装飾１ｃの変色前の色彩はｘ３であり、変色温度はＫｃ（６０℃）であり、変色後の色彩はｙ３である。そして、第１の装飾１ｄの変色前の色彩はｘ４であり、変色温度はＫｄ（７０℃）であり、変色後の色彩はｙ４である。
【００２７】
この保温用発泡樹脂シートＢ２も保温用発泡樹脂シートＢ、Ｂ１と同様にして用いられる。客は、第１の模様１ａ〜１ｄと第２の模様１０ａ〜１０ｄの色彩を見比べ、第１の模様１ａ〜１ｄのいずれの色彩が第２の模様１０ａ〜１０ｄの色彩と同じなっているかどうかを視認することで、カップＡの温度をより正確に知ることができる。例えば、第１の模様１ａのみが第２の模様１０ａの色彩と同じとなっていれば、カップＡの温度は５０℃未満の温度であり、第１の模様１ａと１ｂが第２の模様１０ａと１０ｂの色彩と同じとなっていれば、カップＡの温度は６０℃未満の温度であり、第１の模様１ａと１ｂと１ｃが第２の模様１０ａと１０ｂと１０ｃの色彩と同じとなっていれば、カップＡの温度は７０℃未満の温度であり、第１の模様１ａと１ｂと１ｃと１ｄが第２の模様１０ａと１０ｂと１０ｃと１０ｄの色彩と同じとなっていれば、カップＡの温度は７０℃以上であることを知ることができる。
【００２８】
いずれの場合でも、客は断熱層である保温用発泡樹脂シートＢ２を介してカップＡを掴むこととなるので、カップＡの温度を直接的に感じることはなく、高温による不快感を持つこともない。
【実施例】
【００２９】
以下、本考案による保温用発泡樹脂シートの実施例を説明する。
積水化成品工業株式会社製の白色の発泡ポリエチレンシート（商品名ライトロン：発泡倍率３０倍、厚さ０．５ｍｍ、幅：約６５ｍ、下弧長：約１８５ｍｍ、上弧長：約２２０ｍｍ）の片面に、日油技研工業株式会社製の感熱塗料「商品名サーモペイントＲ」（可逆性）の品番Ｒ−４、Ｒ−５、Ｒ−６、Ｒ−７（表１参照）を、図３に示した第１の装飾１ａ〜１ｄのように、それぞれ線状に塗布した。各線の横に、変色個の温度の色見本を一般塗料により、図３に示した第２の装飾１０ａ〜１０ｄのように印刷した。それをカップの形状に変形させて、リング状となるように端部を接着した。
【００３０】
リング状としたシート内にカップを落とし込み、４５℃、５５℃、６６℃、７５℃の温水を注いで、感熱塗料（品番Ｒ−４、Ｒ−５、Ｒ−６、Ｒ−７）の色彩変化を観察した。また、温水を注いだ直後にシートを介してカップを手で掴んで持ち上げたが、指先に不快となるような熱さは感じなかった。
【表１】
0003185220.tif 000003
【符号の説明】
【００３１】
Ａ…カップ、
Ｂ…保温用発泡樹脂シート、
１（１ａ〜１ｄ）…第１の装飾、
２…第１の装飾の温度に関する情報、
１０（１０ａ〜１０ｄ）…変色後の色彩による第２の装飾
Ｋ（Ｋａ〜Ｋｄ）…変色温度の表示
【図１】
0003185220.tif 000004
【図２】
0003185220.tif 000005
【図３】
0003185220.tif 000006